(57)【要約】【課題】扉の開側に人が凭れ懸かるように倒れて開くことが出来ない状態にある場合には、扉または縦枠体、対向縦枠体、横枠体のいずれかを損壊させなければ扉を外すことが出来ない。【解決手段】扉支筒内に配設されてなる扉軸は扉の上面又は下面から突き出させた状態もしくは扉内に収納させた状態を維持するため、扉軸に設置されスプリングで支押されている鋼玉が扉支筒に施された装着位置決穴又は離脱位置決穴のいずれかに任意固定する。【選択図】図２
0003118338.tif 000002
【実用新案登録請求の範囲】
【請求項１】
扉支筒８内に配設されてなる扉軸９は扉１の上面又は下面から突き出させた状態もしくは扉１内に収納させた状態を維持するため、扉軸９に設置されスプリング１０で支押されている鋼玉１１が扉支筒８に施された装着位置決穴１２又は離脱位置決穴１３のいずれかに任意固定されてなることを特徴とする着脱機能を有する扉の軸支装置。
【請求項２】
前記扉軸９に設置されスプリング１０で支押されている鋼玉１２が扉支筒８に施された装着位置決穴１２側へ軸着されているスライドレバー１４を任意に操作することで扉軸９は扉１の上面又は下面から突き出し軸受１５に挿入されることで扉１が装着されてなることを特徴とする請求項１記載の着脱機能を有する扉の軸支装置。
【請求項３】
上記扉軸９に設置されスプリング１０で支押されている鋼玉１２が扉支筒８に施された離脱位置決穴１３側へ軸着されているスライドレバー１４を任意に操作することで扉軸９は扉１の上面又は下面から突き出し軸受１５に挿入されていた扉軸９は軸受１５からはずれ扉支筒８に収納されて扉１の開側に人が凭れ懸かるように倒れて開くことが出来ない状態にあっても扉１を縦枠体２、対向縦枠体３、横枠体４を損壊することなく簡単に素早く離脱し得ることを特徴とする請求項１〜２記載の着脱機能を有する扉の軸支装置。
【考案の詳細な説明】
【技術分野】
【０００１】  本考案は、扉の着脱を容易にする着脱機能を有する扉の軸支装置に関するものである。
【背景技術】
【０００２】  開口部に回転自在に組み込んだ扉を備え、扉を回転自在に連結する連結部材は、上方移動によって扉の連結を解除すると共に、開口部の上部には、可動部材に当接して可動部材の上方移動を阻止する規制部材が可動部材の上方移動を許容する位置に移動可能に設けてある扉装置が実用に共されている。
【特許文献１】特開平１０−３３１５０７
【０００３】    扉及びその周囲の扉枠のいずれか一方に取り付けられ、軸線方向に移動可能なピポット軸を有する第１のヒンジ部と、前記扉及び扉枠の他方に取り付けられ、前記第１ヒンジ部の前記ピポット軸を回転自在に受け止める第２ヒンジ部と、を備えた扉用ピポットヒンジにおいて、前記第１のヒンジ部には、前記ピポット軸を操作するための操作具に対する係合部を有し、前記ピポット軸の軸線方向に対して直交する中心線の周りに回転可能な操作部材と、前記操作部材の回転を前記ピポット軸の軸線方向の運動に変換する変換機構と、が設けられている扉用ピポットヒンジが有る。
【特許文献１】特開平１０−２４６０５７
【考案の開示】
【考案が解決しようとする課題】
【０００４】  解決しようとする課題は、扉の開側に人が凭れ懸かるように倒れて開くことが出来ない状態にある場合には、扉または縦枠体、対向縦枠体、横枠体のいずれかを損壊させなければ扉を外すことが出来ない点である。
【課題を解決するための手段】
【０００５】  扉支筒内に配設されてなる扉軸は扉の上面又は下面から突き出させた状態もしくは扉内に収納させた状態を維持するため、扉軸に設置されスプリングで支押されている鋼玉が扉支筒に施された装着位置決穴又は離脱位置決穴のいずれかに任意固定されてなることが主要な特徴とする。
【考案の効果】
【０００６】  扉支筒内に配設されてなる扉軸は扉の上面又は下面から突き出させた状態もしくは扉内に収納させた状態を維持するため、扉軸に設置されスプリングで支押されている鋼玉が扉支筒に施された装着位置決穴又は離脱位置決穴のいずれかに任意固定できる。【０００７】  扉軸に設置されスプリングで支押されている鋼玉が扉支筒に施された装着位置決穴側へ軸着されているスライドレバーを任意に操作することで扉軸は扉の上面又は下面から突き出し軸受に挿入されることで扉が簡単に装着できる。【０００８】  扉軸に設置されスプリングで支押されている鋼玉が扉支筒に施された離脱位置決穴側へ軸着されているスライドレバーを任意に操作することで扉軸は扉の上面又は下面から突き出し軸受に挿入されていた扉軸は軸受からはずれ扉支筒に収納されて扉の開側に人が凭れ懸かるように倒れて開くことが出来ない状態にあっても扉を縦枠体、対向縦枠体、横枠体を損壊することなく簡単に素早く離脱することが出来る。【０００９】  前記説明したように、本考案による着脱機能を有する扉の軸支装置は、扉及び枠体を全く損傷することなく更に特別な工具をも必要せず扉の着脱が可能となる。
【考案を実施するための最良の形態】
【００１０】  次に、本考案を実施するための最良の形態を添付図面に従って説明する。
【実施例１】
【００１１】  図１は、本考案実施の形態の一例を示す正面図である。
符号１に示すのは扉であり符号２に示すのは縦枠体で符号３は対向縦枠体である。符号４は横枠体である。符号５は上部軸支装置取付位置であり符号６は下部軸支装置取付位置である。さらに符号７は取手である。【００１２】  図２は、図１正面図のＡ部分拡大縦断面図で着脱機能を有する扉の軸支装置の一例を示している。
扉軸９に設置されスプリング１０で支押されている鋼玉１１が扉支筒８に施された装着位置決穴１２側へ軸着されているスライドレバー１４を任意に操作することで扉軸９は扉１の上面から突き出し軸受１５に挿入されることで扉１が装着される。【００１３】  図３は、図１正面図のＡ部分拡大縦断面図で着脱機能を有する扉の軸支装置の一例を示している。
扉軸９に設置されスプリング１０で支押されている鋼玉１１が扉支筒８に施された離脱位置決穴１３側へ軸着されているスライドレバー１４を任意に操作することで扉軸９は扉１の上面から突き出し軸受１５に挿入されていた扉軸９は軸受１５からはずれ扉支筒８に収納されて扉１の開側に人が凭れ懸かるように倒れて開くことが出来ない状態にあっても扉１を縦枠体２、対向縦枠体３、横枠体４を損壊することなく簡単に素早く離脱し得る。
【産業上の利用可能性】
【００１４】  安心、安全に配慮したユニバーサルデザイン製品であることを最も主要な特徴とする着脱機能を有する扉の軸支装置は、一般家庭からオフィス、病院、福祉施設、介護施設、公共施設、店舗などあらゆる場所で身障者、健常者を問わず適用できる。
【図面の簡単な説明】
【００１５】
【図１】本考案実施の形態の一例を示す正面図である。
【図２】図１正面図のＡ部分拡大縦断面図で着脱機能を有する扉の軸支装置の一例を示している。
【図３】図１正面図のＡ部分拡大縦断面図で着脱機能を有する扉の軸支装置の一例を示している。
【符号の説明】
【００１６】    １    扉
２    縦枠体
３    対向縦枠体
４    横枠体
５    上部軸支装置取付位置
６    下部軸支装置取付位置
７    取手
８    扉支筒
８ａ  扉支筒ブラケット
９    扉軸
１０    スプリング
１１    鋼玉
１２    装着位置決穴
１３    離脱位置決穴
１４    スライドレバー
１５    軸受
１６    固着手段
１７    スライドレバーケース
【図１】
0003118338.tif 000003
【図２】
0003118338.tif 000004
【図３】
0003118338.tif 000005